(57)【要約】【課題】  使用時には歌唱者の邪魔とならず、しかも装置自体の見栄えを保ちつつ、移動中や保存時には、転倒し難い構造として、安全性を高める。【解決手段】  箱状のボディ内部にカラオケ本体１０を内蔵し、ボディの底面にキャスター機構４０を設けた移動式カラオケ装置において、ロック機構５０と、ロック制御手段２０とを備える。ロック制御手段２０は、ロック機構５０を制御して、カラオケ本体において予約楽曲が存在し又は楽曲を演奏中である場合には、各アームの伸長方向への可動禁止を行い、予約楽曲が存在せずかつ楽曲を演奏中でない場合には、各アームの伸長方向への可動禁止を解除する。【選択図】図１
2012118285.tif 000002
【特許請求の範囲】
【請求項１】
箱状のボディ内部にカラオケ本体を内蔵し、前記ボディの底面にキャスター機構を設けた移動式カラオケ装置において、
ロック機構と、ロック制御手段と、を備え、
前記キャスター機構は、伸縮可能な複数のアームと、前記各アームの先端部にそれぞれ取り付けた車輪と、を有し、
前記ロック機構は、前記各アームの伸長方向への可動を禁止し、
前記ロック制御手段は、前記ロック機構を制御して、前記カラオケ本体において予約楽曲が存在し又は楽曲を演奏中である場合には、前記各アームの伸長方向への可動禁止を行い、予約楽曲が存在せずかつ楽曲を演奏中でない場合には、前記各アームの伸長方向への可動禁止を解除することを特徴とする移動式カラオケ装置。
【発明の詳細な説明】
【技術分野】
【０００１】
本発明は、移動式カラオケ装置に関するものであり、特に、移動時の転倒を防止することができる移動式カラオケ装置に関するものである。
【背景技術】
【０００２】
宴会場や結婚式場でカラオケ装置を用いて歌唱を楽しむことが多々あり、このような場所では、据え置き型のカラオケ装置ではなく、移動式カラオケ装置を使用するのが一般的である。移動式カラオケ装置は、箱状のボディ内部にカラオケ本体、アンプ、スピーカ等のカラオケ演奏に必要なすべての機器を収納すると共に、ボディの上面に液晶ディスプレイやコントロールパネルを配置し、さらにボディの底面にキャスター機構を設けることにより、所望の場所まで移動できるようになっている（例えば、特許文献１参照）。
【先行技術文献】
【特許文献】
【０００３】
【特許文献１】特開平１０−７８７８０号公報
【発明の概要】
【発明が解決しようとする課題】
【０００４】
しかしながら、上述した従来の移動式カラオケ装置は重心が高いため、移動時に不安定となり、傾斜を昇降したり、段差を乗り越えたりする際に、転倒させてしまうおそれがあった。すなわち、従来の移動式カラオケ装置は、ボディの上面に液晶ディスプレイやコントロールパネルを配置し、しかも、歌唱者が液晶ディスプレイを見易いように、また、コントロールパネルを操作しやすいように、大人の身長を考慮して、ボディが縦長な構造となっている。
【０００５】
このような問題に対処するためには、ボディの底面に取り付けたキャスター機構において車輪間の間隔を広げればよいが、車輪がボディから大きくはみ出すと、歌唱者にとって邪魔となったり、車輪に躓いたりするおそれがある。また、上述したように、移動式カラオケ装置は、宴会場や結婚式場で使用する場合が多いため、装置自体の見栄えを良くする必要がある。
【０００６】
本発明は、上述した事情に鑑み提案されたもので、使用時には歌唱者の邪魔とならず、しかも装置自体の見栄えを保ちつつ、移動中や保存時には、転倒し難い構造として、安全性を高めることが可能な移動式カラオケ装置を提供することを目的とする。
【課題を解決するための手段】
【０００７】
本発明の移動式カラオケ装置は、上述した目的を達成するため、以下の特徴点を有している。すなわち、本発明の移動式カラオケ装置は、箱状のボディ内部にカラオケ本体を内蔵し、ボディの底面にキャスター機構を設けた移動式カラオケ装置において、ロック機構と、ロック制御手段とを備えたことを特徴とするものである。
【０００８】
キャスター機構は、伸縮可能な複数のアームと、各アームの先端部にそれぞれ取り付けた車輪とを有する。ロック機構は、各アームの伸長方向への可動を禁止する。ロック制御手段は、ロック機構を制御して、カラオケ本体において予約楽曲が存在し又は楽曲を演奏中である場合には、各アームの伸長方向への可動禁止を行い、予約楽曲が存在せずかつは楽曲を演奏中でない場合には、各アームの伸長方向への可動禁止を解除する。
【０００９】
このような構成からなる移動式カラオケ装置では、ボディの底面に設けたキャスター機構により、ボディを移動させることができる。そして、ロック制御手段により、予約楽曲が存在し又は楽曲を演奏中であるか否かに基づいて、ロック機構のロック状態を制御する。すなわち、予約楽曲が存在し又は楽曲を演奏中である場合には、ロック機構によるロックを行い、アームが伸長方向へ可動しないようにする。一方、予約楽曲が存在せずかつ楽曲を演奏中でない場合には、ロック機構によるロックを解除し、アームが伸長方向へ可動可能とする。
【発明の効果】
【００１０】
本発明の移動式カラオケ装置によれば、予約楽曲が存在し又は楽曲を演奏中である場合には、ロック機構によりアームがロックされ、アームを伸長方向へ可動させることができない。したがって、不用意にアームが伸びることがなく、歌唱者の邪魔とならない。
【００１１】
一方、予約楽曲が存在せずかつ楽曲を演奏中でない場合には、ロック機構によるロックが解除され、アームを伸長方向へ可動させることができる。そして、各アームをそれぞれ伸長方向へ可動させることにより、各アームの先端部に設けた車輪間の間隔が広がり、傾斜を昇降したり、段差を乗り越えたりする際に、移動式カラオケ装置が安定するので、転倒のおそれが低減して、安全性を高めることが可能となる。また、倉庫等に格納する際にも、各アームをそれぞれ伸長方向へ可動させることができるので、保存時における転倒を防止することもできる。
【図面の簡単な説明】
【００１２】
【図１】本発明の実施形態に係る移動式カラオケ装置の要部構成を示すブロック図。
【図２】本発明の実施形態に係る移動式カラオケ装置の全体構成を示すブロック図。
【図３】本発明の実施形態に係る移動式カラオケ装置の側面図。
【図４】本発明の実施形態に係る移動式カラオケ装置の正面図。
【図５】実施例１に係るキャスター機構及びロック機構の構成を示す移動式カラオケ装置の底面模式図。
【図６】ロック機構の構成を示す模式図。
【図７】係止機構の構成を示す模式図。
【図８】実施例２に係るキャスター機構及びロック機構の構成を示す移動式カラオケ装置の底面模式図。
【図９】実施例３に係るキャスター機構及びロック機構の構成を示す移動式カラオケ装置の底面模式図。
【図１０】実施例４に係るキャスター機構及びロック機構の構成を示す移動式カラオケ装置の底面模式図。
【発明を実施するための形態】
【００１３】
以下、図面を参照して、本発明の移動式カラオケ装置の実施形態について説明する。図１〜図４は本発明の実施形態に係る移動式カラオケ装置を示すもので、図１は移動式カラオケ装置の要部構成を示すブロック図、図２は移動式カラオケ装置の全体構成を示すブロック図、図３は移動式カラオケ装置の側面図、図４は移動式カラオケ装置の正面図である。
【００１４】
＜移動式カラオケ装置の概要＞
本発明の実施形態に係る移動式カラオケ装置は、図３及び図４に示すように、箱状のボディ７０と、ボディ７０の上部に設けた液晶ディスプレイ３５及び操作パネル３１と、ボディ７０の内部に収納したカラオケ本体１０、ミキシングアンプ３２、スピーカ３３と、ボディ７０の下部に取り付けたキャスター機構４０と、キャスター機構４０のアーム４１の伸長を規制するロック機構５０を備えている。また、ボディ７０の内部にはトランスやバッテリ等からなる電源ユニット８０が搭載されている。
【００１５】
＜移動式カラオケ装置の要部＞
本発明の実施形態に係る移動式カラオケ装置は、図１に示すように、キャスター機構４０を備えており、ロック機構５０及びロック制御手段２０により、キャスター機構４０を構成するアーム４１の伸縮を制御して、キャスター機構４０における車輪４３間の間隔を狭めたり、広めたりすることができる。
【００１６】
すなわち、キャスター機構４０は、図５及び図８〜図１０に示すように、伸縮可能な複数のアーム４１（４１ｂ、４１ｃ）と、各アーム４１（４１ｂ、４１ｃ）をそれぞれ伸張方向へ可動させる伸長バネ４２と、各アーム４１の先端部にそれぞれ取り付けた車輪４３とを有している。また、ロック機構５０により、各伸長バネ４２による各アーム４１（４１ｂ、４１ｃ）の伸長方向への可動を禁止する。そして、ロック制御手段２０は、ロック機構５０を制御して、カラオケ本体１０において予約楽曲が存在し又は楽曲を演奏中である場合には、各アーム４１（４１ｂ、４１ｃ）の伸長方向への可動禁止を行い、予約楽曲が存在せずかつ楽曲を演奏中でない場合には、各アーム４１（４１ｂ、４１ｃ）の伸長方向への可動禁止を解除する。
【００１７】
ロック制御手段２０は、図１に示すように、予約楽曲が存在するか否か、又は楽曲を演奏中か否かを判定する判定部２０ａを備えており、カラオケ本体１０の予約管理手段１７から予約管理情報を取得すると共に、音楽再生制御手段１８から音楽再生制御情報を取得する。これにより、判定部２０ａは、予約楽曲が存在するか否か、又は楽曲を演奏中か否かを判定することができる。
【００１８】
＜カラオケ本体＞
ボディ７０内に格納されたカラオケ本体１０は、図２に示すように、中央制御手段１１、ＲＯＭ１２、ＲＡＭ１３、ＨＤＤ１４、入出力インターフェース（入出力Ｉ／Ｆ）１５、楽曲検索手段１６、予約管理手段１７、音楽再生制御手段１８、映像再生制御手段１９、ロック制御手段２０を備えている。
【００１９】
＜中央制御手段＞
中央制御手段１１は、カラオケ本体１０を総合的に制御するための手段であり、例えばＣＰＵ及びその周辺機器により構成されており、ＣＰＵ等がＲＯＭ１２等に記憶されたプログラムに従って動作することにより、制御機能を発揮することができるようになっている。
【００２０】
＜ＲＯＭ／ＲＡＭ＞
ＲＯＭ１２は、カラオケ本体１０を構成する各機器を制御するためのプログラムデータや数値データを記憶するための機器で、例えば半導体メモリ等で構成される。また、ＲＡＭ１３は、プログラムや各種データを一時的に記憶する一時記憶領域として機能するもので、例えば半導体メモリ等で構成される。なお、物理的な半導体メモリによりＲＡＭ１３を構成するのではなく、ハードディスク記憶装置等を用いて仮想的なＲＡＭ１３を構成してもよい。本実施形態では、ＲＡＭ１３に、予約待ち行列１３ａが記憶されるようになっている。なお、予約待ち行列１３ａは、選曲予約されたカラオケ楽曲について、演奏順に楽曲ＩＤを並べて構成されたデータテーブルであり、選曲者の利用者ＩＤ等、他の識別データが紐付けられている場合もある。
【００２１】
＜ＨＤＤ＞
ＨＤＤ１４は演奏データや映像データ等のカラオケデータを格納するための装置であり、カラオケデータは定期的に最新のものに更新される。具体的には、ＨＤＤ１４には、楽曲データベース（楽曲ＤＢ）１４ａ、映像データベース（映像ＤＢ）１４ｂ、楽曲索引データベース（楽曲索引ＤＢ）１４ｃが格納されている。
【００２２】
＜演奏データベース／映像データベース＞
楽曲データベース１４ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。映像データベース１４ｂは、演奏される楽曲に対応した背景映像を、当該楽曲の楽曲ＩＤに対応させた映像ファイルとして所定数格納したデータベースである。
【００２３】
＜楽曲索引データベース／楽曲検索手段＞
楽曲索引データベース１４ｃは、カラオケ本体１０において演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。楽曲検索手段１６は、利用者の指示に基づき、楽曲索引データベース１４ｃを参照して楽曲を検索するためのプログラムからなる。
【００２４】
＜予約管理手段＞
予約管理手段１７は、利用者により楽曲検索手段１６の機能を用いて選曲された楽曲ＩＤを演奏順に並べて予約待ち行列１３ａを生成し、この予約待ち行列１３ａをＲＡＭ１３に格納して管理するためのプログラムからなる。
【００２５】
＜音楽再生制御手段＞
音楽再生制御手段１８は、楽曲ＩＤに基づいて楽曲データベース１４ａから抽出された演奏データに基づいて、音源データをデジタル再生すると共にアナログ変換してミキシングアンプ３２に出力するための電子回路である。ミキシングアンプ３２は、マイクロホン３４から入力された歌唱者の歌唱音声信号と、音楽再生制御手段１８から送出される演奏音声信号とをミキシングすると共に、アンプ機能により増幅してスピーカ３３より出力させるための装置である。
【００２６】
＜映像再生制御手段＞
映像再生制御手段１９は、カラオケ楽曲の演奏中に、映像データベース１４ｂから抽出した映像データと、楽曲データベース１４ａに含まれる歌詞描出データとを、当該カラオケ楽曲の演奏データに同期させて液晶ディスプレイ３５に出力するためのプログラムからなる。
【００２７】
＜マイクロホン＞
マイクロホン３４は、歌唱音声の入力を行うための装置である。マイクロホン３４から入力された歌唱音声信号は、ミキシングアンプ３２により、音楽再生制御手段１８から送出される演奏音声信号とミキシングされると共に増幅され、スピーカ３３へ出力される。なお、マイクロホン３４からの音声入力信号を、Ａ／Ｄコンバータ（図示せず）によりデジタル変換して、歌唱採点等に使用してもよい。また、図３に示す例ではワイヤレスマイクを用いているが、ワイヤードマイクを用いてもよい。
【００２８】
＜液晶ディスプレイ＞
液晶ディスプレイ３５は、カラオケ楽曲に関連した背景映像や歌詞テロップ等を表示するための装置である。本実施形態では、液晶ディスプレイ３５を用いているが、背景映像や歌詞テロップ等を表示するために、他の形態の表示装置を用いてもよい。
【００２９】
＜実施例１＞
次に、キャスター機構４０及びロック機構５０の具体的な実施例について説明する。図５は、実施例１に係るキャスター機構４０及びロック機構５０の構成を示す移動式カラオケ装置の底面模式図である。
【００３０】
実施例１に係るキャスター機構４０及びロック機構５０は、図５に示すように、ボディ７０の底面に取り付けられている。キャスター機構４０は、ボディ７０の正面側から見て前後方向にそれぞれ移動する一対の第１アーム４１ａと、左右方向にそれぞれ移動する一対の第２アーム４１ｂとからなり、第１アーム４１ａ及び第２アーム４１ｂの先端側にはそれぞれ車輪４３が取り付けられている。
【００３１】
第１アーム４１ａは略Ｌ字状をなしており、一対の第１アーム４１ａを連結し、全体として略コ字状となっている。また、第１アーム４１ａの連結部からボディ７０の後方へ向かって支持アーム４１ｃが延出されており、支持アーム４１ｃの先端側（図５において右側）が第１ブラケット４４ａにより支持されている。
【００３２】
第１ブラケット４４ａは、伸長バネ４２及びロック機構５０を取り付けるための部材であり、ボディ７０の前側が開放端となると共に後側が閉鎖端となった筒状をなしている。この第１ブラケット４４ａの内部に、支持アーム４１ｃを挿入すると共に、支持アーム４１ｃの先端側と第１ブラケット４４ａの閉鎖端との間に、支持アーム４１ｃを第１ブラケット４４ａ内から押し出す方向へ付勢する伸長バネ４２が収納されている。
【００３３】
また、第１ブラケット４４ａには、支持アーム４１ｃが伸長バネ４２の付勢力により伸張方向へ可動することを規制するロック機構５０と、支持アーム４１ｃを任意の縮長位置に係止するための係止機構６０とが設けられている。
【００３４】
ロック機構５０は、図５及び図６に示すように、アーム４１（支持アーム４１ｃ）に設けられたロック歯部５１と、ブラケット４４（第１ブラケット４４ａ）に設けられ、ロック歯部５１と係合する係合歯部５２と、係合歯部５２をロック歯部５１へ向かって進退させるアクチュエータ５３とを備えている。アクチュエータ５３は、どのような機構であってもよいが、例えば、コイル内に鉄心を収容し、コイルに電流を流すことで、鉄心を進退させるソレノイドを用いることができる。上述したように、ロック機構５０は、ロック制御手段２０の制御により、カラオケ本体１０において予約楽曲が存在し又は楽曲を演奏中である場合には、ロック歯部５１と係合歯部５２とが噛み合った状態として、アーム４１（支持アーム４１ｃ）が伸長方向へ可動することを禁止する。一方、予約楽曲が存在せずかつ楽曲を演奏中でない場合には、ロック歯部５１と係合歯部５２との噛み合いを解除して、アーム４１（支持アーム４１ｃ）が伸長方向へ可動することを許可する。
【００３５】
係止機構６０は、図５及び図７に示すように、アーム４１（支持アーム４１ｃ）に設けられた係止孔６１と、ブラケット４４（第１ブラケット４４ａ）に取り付けられて、係止孔６１内へ挿脱可能な係止棒６２と、係止棒６２の先端部が係止孔６１内へ挿入される状態に付勢する係止バネ６３とを備えている。なお、係止孔６１は、アーム４１（支持アーム４１ｃ）の長さ方向に沿って複数箇所設けることが好ましい。そして、伸長バネ４２の付勢力に抗してアーム４１（支持アーム４１ｃ）を縮長方向へ可動させると、係止棒６２の先端部が係止バネ６３の付勢力により係止孔６１内へ挿入されるので、アーム４１（支持アーム４１ｃ）は任意の縮長位置に留まる。一方、ロック機構５０によるロックが解除された状態で、係止棒６２に設けた操作突起６４を操作して、係止棒６２の先端部を係止バネ６３の付勢力に抗して係止孔６１内から抜き出すと、アーム４１（支持アーム４１ｃ）は、伸長バネ４２の付勢力により伸長方向へ向かって可動する。
【００３６】
なお、係止機構６０は、上述したものに限られず、アーム４１（支持アーム４１ｃ）を任意の縮長位置に留めることができれば、どのような機構であってもよい。例えば、上述した構成において、係止孔６１を設けるのではなく、係止棒６２の先端にゴム等からなる弾性部材を設け、この係止棒６２の先端をアーム４１（支持アーム４１ｃ）に押し付けることにより、アーム４１（支持アーム４１ｃ）を任意の縮長位置に留める機構を採用することができる。
【００３７】
第２アーム４１ｂは、先端部に車輪４３が取り付けられており、基端部が第２ブラケット４４ｂにより支持されている。第２ブラケット４４ｂは、伸長バネ４２及びロック機構５０を取り付けるための部材であり、両端が開放された筒状となっている。この第２ブラケット４４ｂの内部に、各第２アーム４１ｂを挿入する。また、第２ブラケット４４ｂには、各第２アーム４１ｂを第２ブラケット４４ｂ内から押し出す方向へ付勢する伸長バネ４２が収納されている。
【００３８】
また、第２ブラケット４４ｂには、第２アーム４１ｂが伸長方向へ可動することを規制するロック機構５０と、第２アーム４１ｂを縮長位置に係止するための係止機構６０とが設けられている。第２アーム４１ｂのロック機構５０及び係止機構６０は、上述した第１アーム４１ａのロック機構５０及び係止機構６０とほぼ同様の構成であるため、説明を省略する。
【００３９】
第２アーム４１ｂにおいても、ロック制御手段２０の制御によりロック機構５０が動作し、カラオケ本体１０において予約楽曲が存在し又は楽曲を演奏中である場合には、ロック歯部５１と係合歯部５２とが噛み合った状態として、第２アーム４１ｂが伸長方向へ可動することを禁止する。一方、予約楽曲が存在せずかつ楽曲を演奏中でない場合には、ロック歯部５１と係合歯部５２との噛み合いを解除して、第２アーム４１ｂが伸長方向へ可動することを許可する。
【００４０】
また、伸長バネ４２の付勢力に抗して第２アーム４１ｂを縮長位置へ可動させると、係止棒６２の先端部が係止バネ６３の付勢力により係止孔６１内へ挿入されるので、第２アーム４１ｂは任意の縮長位置に留まる。一方、ロック機構５０によるロックが解除された状態で、係止棒６２に設けた操作突起６４を操作して、係止棒６２の先端部を係止バネ６３の付勢力に抗して係止孔６１内から抜き出すと、第２アーム４１ｂは、伸長バネ４２の付勢力により伸長方向へ向かって可動する。
【００４１】
＜実施例２＞
図８は、実施例２に係るキャスター機構４０及びロック機構５０の構成を示す移動式カラオケ装置の底面模式図である。
【００４２】
実施例２に係るキャスター機構４０及びロック機構５０は、図８に示すように、実施例１の第２アーム４１ｂ及びロック機構５０を応用したもので、ボディ７０の前側及び後側に、それぞれボディ７０の左右方向に伸縮する一対のアーム４１を設け、各アーム４１の先端部には車輪４３が取り付けられている。実施例２では、実施例１と同様の構成部分には同一の符号を付して説明を省略する。なお、実施例２では、各ブラケットに共通の符号４４を付している（実施例３及び実施例４において同様）。
【００４３】
実施例２においても、実施例１と同様に、ロック制御手段２０の制御によりロック機構５０が動作し、カラオケ本体１０において予約楽曲が存在し又は楽曲を演奏中である場合には、アーム４１が伸長方向へ可動することを禁止する。一方、予約楽曲が存在せずかつ楽曲を演奏中でない場合には、アーム４１が伸長方向へ可動することを許可する。
【００４４】
また、係止機構６０により、アーム４１を任意の縮長位置に留まらせることができる。そして、ロック機構５０によるロックが解除された状態では、係止機構６０によるアーム４１の係止を解除することにより、アーム４１を伸長方向へ向かって可動させることができる。
【００４５】
＜実施例３＞
図９は、実施例３に係るキャスター機構４０及びロック機構５０の構成を示す移動式カラオケ装置の底面模式図である。
【００４６】
実施例３に係るキャスター機構４０及びロック機構５０は、図９に示すように、実施例１の伸長バネ４２及びロック機構５０を応用したもので、ボディ７０の前側及び後側に、それぞれボディ７０の左右方向にほぼ一直線となった一対のアーム４１を設け、各アーム４１の先端部には車輪４３が取り付けられている。実施例３では、一直線上に並んだ一対のアーム４１を一組として、前側のアーム組と後側のアーム組との間に、実施例１の第１アーム４１ａに設けた伸長バネ４２及びロック機構５０とほぼ同様の構成からなる伸長バネ４２及びロック機構５０を設けた構成となっている。実施例３では、実施例１と同様の構成部分には同一の符号を付して説明を省略する。なお、実施例３では、各ブラケットに共通の符号４４を付している。
【００４７】
実施例３においても、実施例１及び実施例２と同様に、ロック制御手段２０の制御によりロック機構５０が動作し、カラオケ本体１０において予約楽曲が存在し又は楽曲を演奏中である場合には、アーム４１が伸長方向へ可動することを禁止する。一方、予約楽曲が存在せずかつ楽曲を演奏中でない場合には、アーム４１が伸長方向へ可動することを許可する。
【００４８】
また、係止機構６０により、アーム４１を任意の縮長位置に留まらせることができる。そして、ロック機構５０によるロックが解除された状態では、係止機構６０によるアーム４１の係止を解除することにより、アーム４１を伸長方向へ向かって可動させることができる。
【００４９】
＜実施例４＞
図１０は、実施例４に係るキャスター機構４０及びロック機構５０の構成を示す移動式カラオケ装置の底面模式図である。
【００５０】
実施例４に係るキャスター機構４０及びロック機構５０は、図１０に示すように、実施例１の第２アーム４１ｂ及びその伸長バネ４２及びロック機構５０とほぼ同様の構成を十字状に交差させて設けたもので、各アーム４１は、回転軸９１を有する回転支柱９０に取り付けられている。実施例４では、先端部に車輪４３を有する４本のアーム４１が、それぞれボディ７０の外側へ向かって伸長可能となっており、さらに回転軸９１を中心に回転支柱９０が回転することにより、ボディ７０に対してアーム４１を回転させることができる。
【００５１】
実施例４においても、実施例１と同様に、ロック制御手段２０の制御によりロック機構５０が動作し、カラオケ本体１０において予約楽曲が存在し又は楽曲を演奏中である場合には、アーム４１が伸長方向へ可動することを禁止する。一方、予約楽曲が存在せずかつ楽曲を演奏中でない場合には、アーム４１が伸長方向へ可動することを許可する。
【００５２】
また、係止機構６０により、アーム４１を任意の縮長位置に留まらせることができる。そして、ロック機構５０によるロックが解除された状態では、係止機構６０によるアーム４１の係止を解除することにより、アーム４１を伸長方向へ向かって可動させることができる。
【００５３】
＜他の実施形態＞
本発明のシステム及びその周辺装置を構成する機器や手段は上述したものに限定されない。例えば、予約楽曲が存在し又は楽曲を演奏中である場合には、アームを自動的に縮長させる機構を備えた構造とすることができる。これにより、移動式カラオケ装置を使用している際に、装置自体の見栄えが悪くならない。このアーム自動伸張機構は、例えば、モータと、ラック・アンド・ピニオン等の動力伝達機構により構成することができる。
【００５４】
また、アーム及び車輪の数は、上述したものに限定されず、適宜増減することができる。さらに、アームに対して回転可能な車輪は、前側のみ、後側のみ、あるいはすべての車輪とすることができる。
【００５５】
また、本発明のシステム及びその周辺装置は、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、移動式カラオケ装置を単体で動作させるのではなく、ホスト装置にネットワーク接続したカラオケ端末として動作させてもよい。
【符号の説明】
【００５６】
１０  カラオケ本体
１１  中央制御手段
１２  ＲＯＭ
１３  ＲＡＭ
１３ａ  予約待ち行列
１４  ＨＤＤ
１４ａ  楽曲データベース
１４ｂ  映像データベース
１４ｃ  楽曲索引データベース
１５  入出力インターフェース
１６  楽曲検索手段
１７  予約管理手段
１８  音楽再生制御手段
１９  映像再生制御手段
２０  ロック制御手段
２０ａ  判定部
３１  操作パネル
３２  ミキシングアンプ
３３  スピーカ
３４  マイクロホン
３５  液晶ディスプレイ
４０  キャスター機構
４１  アーム
４１ａ  第１アーム
４１ｂ  第２アーム
４１ｃ  支持アーム
４２  伸長バネ
４３  車輪
４４  ブラケット
４４ａ  第１ブラケット
４４ｂ  第２ブラケット
５０  ロック機構
５１  ロック歯部
５２  係合歯部
５３  アクチュエータ
６０  係止機構
６１  係止孔
６２  係止棒
６３  係止バネ
６４  操作突起
７０  ボディ
８０  電源ユニット
９０  回転支柱
９１  回転軸
【図１】
2012118285.tif 000003
【図２】
2012118285.tif 000004
【図３】
2012118285.tif 000005
【図４】
2012118285.tif 000006
【図５】
2012118285.tif 000007
【図６】
2012118285.tif 000008
【図７】
2012118285.tif 000009
【図８】
2012118285.tif 000010
【図９】
2012118285.tif 000011
【図１０】
2012118285.tif 000012